(57)【要約】【課題】負圧専用で理想的な負圧単方向バルブを提供する。【解決手段】外殻１の内部に中空室１１を設け、その中にピストン３が上下移動可能にシール盖２を設けて外殻１の開いた上面を密封する。このシール盖２の底面に逆止めガスケット４が貼り付けられ、ガスケット４はその中央に孔４１が設けられる。ピストン３が正圧を受けて上に移動すると、ガスケット４と密接してその中央孔４１を塞ぎ、流体の中空室１１の通過を規制する。中空室１１の底面には複数の凸起１１２が設けられ、ピストン３が真空負圧の吸収力を受けると、下の方に移動して中空室１１の底面と接触する。このとき、ピストン３は底面にある複数の凸起１１２のために密接できず、流体は上方から凸起１１２の相互間にあるすき間を通過して中空室１１を通過する。【選択図】図３
0003130182.tif 000002
【実用新案登録請求の範囲】
【請求項１】
外殻とシール盖とピストンと逆止めガスケットとを備える負圧単方向バルブにおいて、
前記外殻は内部に中空室が形成され、前記ピストンが前記中空室の中に設置されて上下に移動可能であり、
前記逆止めガスケットは前記中空室の最上部に設置され前記シール盖の底部にはり付けられ且つ中央孔もち、前記ピストンが上に移動して前記逆止めガスケットと密接したら前記中央孔が密封され、
前記外殻の上に設置される前記シール盖は中央に垂直の第一通路を持ち、前記シール盖の前記第一通路は前記逆止めガスケットの前記中央孔と連通し、
前記外殻は前記中空室の下の方に連結部を持ち、前記連結部の中央に垂直の第二通路を持ち、前記外殻の前記第二通路は前記中空室と連通し、
前記負圧単方向バルブを液体輸送管ルートに連接した場合は、前記負圧単方向バルブの前記ピストンが正圧を受けると、前記正圧と浮力とで前記ピストンは上の方に移動し前記逆止めガスケットの下表面と密接して前記逆止めガスケットの前記中央孔を完全に密封するから、ガスや液体が流入不可能であり、反対に前記ピストンが真空の負圧の吸収力を受けた時には、前記真空の負圧の吸収力と前記ピストン自身の重量とにより、前記ピストンは前記中空室の底面に接触し、ガスや液体が中に流入することを特徴とする負圧単方向バルブ。
【請求項２】
前記外殻の前記連接部は外周に雄ねじ部を持ち、前記雄ねじ部で他の管ルート或いはベンチュリ管の分岐管と連接することを特徴とする請求項１に記載の負圧単方向バルブ。
【請求項３】
前記外殻の前記中空室は内壁面に複数の垂直凸条が等間隔で形成され、且つ前記中空室の底面は複数の凸起を持っていることを特徴とする請求項１に記載の負圧単方向バルブ。
【請求項４】
前記ピストンは底面に凹みを持っていることを特徴とする請求項１に記載の負圧単方向バルブ。
【請求項５】
前記ピストンは底面が平坦であることを特徴とする請求項１に記載の負圧単方向バルブ。
【考案の詳細な説明】
【技術分野】
【０００１】
本考案は液体輸送管ルートに使用される負圧単方向バルブに関する。
【背景技術】
【０００２】
従来一般の単方向バルブはその本体の中に鋼球とスプリングとを持ち、単方向に働く正圧力が発生したら鋼球がその力を受けて移動して開き、ガスや液体を通らせる様な構造になっている。それで正圧力がない時は鋼球の位置移動により圧縮されたスプリングの弾力回復により鋼球がバルブを閉鎖して液体やガスの流動を阻止するものである。
【考案の開示】
【考案が解決しようとする課題】
【０００３】
然しこの様な単方向バルブは負圧の時に適用できないし、又現在の所負圧専用で理想的な負圧単方向バルブがないから、本考案は一種の負圧単方向バルブを提供することをその課題とする。
【課題を解決するための手段】
【０００４】
それで本考案は外殻の内部に中空室を設けてピストンをその中に置いて上下移動できる様に、シール盖を設けて外殻の開いた上面を密封させ、このシール盖の底面に逆止めガスケットを貼り付け、このガスケットはその中央に孔をあけておき、若しもピストンが正圧を受けて上に移動したらガスケットと密接してその中央孔を塞ぎ流体が中空室を通過できない様にし、更に中空室の底面は複数の凸起を設けて、ピストンが真空負圧の吸収力を受けたら下の方に移動して中空室の底面と接触するが、底面にある複数の凸起のために密接できず流体は上方からこれらの凸起の相互間にあるすき間を通過して中空室を通過できる様にして、単方向バルブを構成する。
【考案を実施するための最良の形態】
【０００５】
本考案の一実施例は図１と図３とが示す様に、外殻１とシール盖２とピストン３と逆止めガスケット４とで組み合わせて構成される。
外殻１はその内部に中空室１１を形成し、底部が凹んでいるか又は平面のピストン３が中空室１１の中に設置されて上下に移動できる。シール盖２は外殻１の開いている上面に設置されてそれを密封し、逆止めガスケットがシール盖２の底面にはり付けられ且つ中央に孔４１を持つ。更に外殻１は下部に通路１０を又シール盖２は通路２０を持ち、通路１０は中空室１１と連通し、通路２０はシール盖２を貫通している。
【０００６】
外殻１は図１と図２が示す様に更に下部に連接部１２を持ち、この連接部１２の内部に通路１０があり外周に雄ねじ部１２１を設けていて、それでその他の管ルート或いはベンチュリ管５の分岐管と連接できる（図６はその運用例を示している）。シール盖２もその上部に連接部２１を持ち、この連接部２１は雄ねじ部２１１を設けていて、其の他の管ルート或いはガスとか液体の濾過器６と連接できる。
【０００７】
ピストン３は外殻１の中空室１１に置かれて上下に移動でき、更にこの中空室１１の壁面には複数の垂直の案内凸条１１１が等間隔で形成され、それでピストン３が上下移動する時はこの案内凸条１１１だけに接触するので、その摩擦力が低くピストンは円滑に上下移動できる。なお中空室１１の底面には複数の突起１１２が形成されて、それでガスや液体はたとえピストン３が底面にきた時でも突起１１２の相互のすき間を経由して流動できる。
【０００８】
次にこの負圧単方向バルブの使用と作動とを図６で説明する。負圧単方向バルブのピストン３が正圧を受けた時は、ピストン３が上に推し上げられて、中空室１１の最上部にある逆止めガスケット４と密接してその中央孔４１を塞ぐ。それで完全にガスや液体の流動を阻止する。その反対に、若しもピストン３が真空負圧の吸収力を受けたら、この吸収力をピストン３自身の重量で下の方に降下し中空室１１の底面と接触する。しかし底面は複数の突起１１２があるのでピストン３の下表面と底面の表面とは完全に密接できず、突起１１２の相互間にすき間があるのでガスや液体はこれらのすき間を経由して流動できる。
（考案の効果）
本考案の負圧単方向バルブは構造が非常に簡単でその作用は確実で利用価値が高い。
【図面の簡単な説明】
【０００９】
【図１】本考案の一実施例による負圧単方向バルブの分解斜視図である。
【図２】本考案の一実施例による負圧単方向バルブの斜視図である。
【図３】図２の３−３線の断面図である。
【図４】図３の４−４線の断面図である。
【図５】本考案の一実施例による負圧単方向バルブのピストンが閉じた状態を示す断面図である。
【図６】本考案の一実施例による負圧単方向バルブを使用している状況を示す断面図である。
【符号の説明】
【００１０】
１：外殻、１０：通路、１１：中空室、１１１：案内凸条、１１２：突起、１２：連接部、１２１：雄ねじ部、２：シール盖、２０：通路、２１：連接部、２１１：雄ねじ部、３：ピストン、４：逆止めガスケット、４１：孔、５：管ルート或いはベンチュリ管
【図１】
0003130182.tif 000003
【図２】
0003130182.tif 000004
【図３】
0003130182.tif 000005
【図４】
0003130182.tif 000006
【図５】
0003130182.tif 000007
【図６】
0003130182.tif 000008